(57)【要約】【課題】  効果を発揮するのに十分な量の常温で固体状の香気成分を担持体に担持させても、粉落ちが効果的に抑制された香気成分担持体をすること。【解決手段】  常温で固体の香気成分と、ＨＬＢ８〜２０の界面活性剤を、担持体材料に担持させる。界面活性剤が非イオン界面活性剤であることが好ましい。界面活性剤の量は、前記香気成分の重量に対して１／１０００〜１／２の重量であることが好ましい。担持体材料は、多孔質材料からなることが好ましい。【選択図】    なし【特許請求の範囲】
【請求項１】
常温で固体の香気成分と、ＨＬＢ８〜２０の界面活性剤とを、担持体材料に担持させてなる香気成分担持体。
【請求項２】
前記界面活性剤が非イオン界面活性剤である請求項１記載の香気成分担持体。
【請求項３】
前記界面活性剤の量が、前記香気成分の重量に対して１／１０００〜１／２の重量である請求項１又は２記載の香気成分担持体。
【請求項４】
前記担持体材料が、多孔質材料からなる請求項１ないし３の何れかに記載の香気成分担持体。
【請求項５】
前記香気成分及び前記界面活性剤を含み、該香気成分の濃度を０．５〜１５重量％とした溶液を前記担持体材料に含浸させた後、該担持体材料を乾燥処理することによって前記香気成分及び前記界面活性剤を担持させたものである請求項１ないし４の何れかに記載の香気成分担持体。
【請求項６】
前記非イオン界面活性剤がポリオキシエチレン鎖を有するものである請求項２記載の香気成分担持体。
【請求項７】
前記多孔質材料が繊維シートからなる請求項４記載の香気成分担持体。
【請求項８】
前記繊維シートが、外力によって分割・分離可能な繊維を含んでいる請求項７記載の香気成分担持体。
【発明の詳細な説明】
【技術分野】
【０００１】
本発明は、常温で固体の香気成分を担持させた香気成分担持体に関する。
【背景技術】
【０００２】
香気成分には人の精神状態をコントロールし、気分を落ち着かせたり、高揚させたり、睡眠を促進したりする等の効果がある。現代社会には、さまざまなストレス要因があり、多くの人々がストレスによる悩みを抱えているため、こういった香気成分による癒しを訴求した技術が多数提案されるようになってきている。例えば、香料組成物を気化させて吸気させるアロマテラピーによる方法（特許文献１参照）や、これらの方法を速やかな入眠や十分な睡眠効果が得られるように応用すべく、寝具に香料組成物を付着させる方法も提案されている（特許文献２及び３参照）。
【０００３】
アロマテラピーによる方法の場合、常温において揮発性の香気成分であれば、香気成分そのものを容器に入れたり、又はこれを担体に担持させたものを放置するだけで香気成分が揮発し、その効果を発揮する。しかし、香気成分の中には常温で固体状のものも存在する。この場合には容器等に入れただけでは容易に揮発せず、加熱等の手段により強制的に揮発させることが必要となる。例えば、セスキテルペンアルコールは、その効果として過度に交感神経が優位な状態の人に対しては鎮静等の作用を示し、過度に副交感神経が優位な状態の人に対しては生理学的に最適な状態に戻すことが知られている（特許文献４参照）。しかし、これらは常温における蒸気圧が低く揮散し難いため同文献においては、加熱、超音波照射等の処理によって揮散可能な状態で用いることを提案している。
【０００４】
しかしこれらの処理をするためには、別途加熱等の手段が必要である。従って揮散を効果的に促進させるためには、手軽に安心して用いることが難しく、また高価なものともなる。
【０００５】
【特許文献１】特開平６−４０９１１号公報
【特許文献２】特開平９−１５４６７７号公報
【特許文献３】特開平１０−６６６３９号公報
【特許文献４】国際公開第０１／５８４３５号パンフレット
【発明の開示】
【発明が解決しようとする課題】
【０００６】
常温で固体状の香気成分であっても、何の装置も用いることなく、簡便に且つ安全に使用することができれば便宜である。特に、副交感神経を優位にして入眠を促す香気成分等は、寝室にて使用することとなるためその要望が強い。そして、これら常温で固体状の香気成分においても、容器等に入れず、直接鼻等の吸入部位の近くに置くことにより、効果を発揮する程度の成分の吸入は可能である。しかし、当該香気成分のみをそのまま布等の担持材料に担持させたのでは、結晶状態であるため粉落ち等が発生し、寝具を汚す等の不都合が生ずる。従って本発明の目的は、効果を発揮するのに十分な量の常温で固体状の香気成分を担持体に担持させても、粉落ちが効果的に抑制された香気成分担持体を提供することにある。
【課題を解決するための手段】
【０００７】
本発明者は、常温で固体の香気成分を、布等の担持材料に担持させた場合の粉落ち防止について検討した結果、ある特定の界面活性剤を使用することにより、有効に粉落ちを防止することが可能となることを見出した。また、その中でも更に特定のものについては、香気成分の揮散量を低下させることもないことを見出し、本発明を完成した。
【０００８】
即ち本発明は、常温で固体の香気成分と、ＨＬＢ８〜２０の界面活性剤とを、担持体材料に担持させてなる香気成分担持体を提供することにより前記目的を達成したものである。
【発明の効果】
【０００９】
本発明の香気成分担持体は、常温で固体の香気成分を担持させても、担持体からの粉落ち等を起こすことがない。従って周囲が汚れるのを効果的に回避することが可能となる。また、効率良く且つ持続して香気成分を揮散させることができ、高いリラックス効果、速やかな入眠効果等を得ることができる。
【発明を実施するための最良の形態】
【００１０】
以下本発明を、その好ましい実施形態に基づき説明する。本発明で用いられる常温で固体の香気成分としては、例えばセスキテルペンアルコール、モノテルペンアルコール、ジテルペンアルコール、これらのエステル化合物等が挙げられる。特に、高いリラックス効果や速やかな入眠効果等を有する点から、セスキテルペンアルコールを用いることが好ましい。なお本発明において常温とは２２℃を意味する。
【００１１】
セスキテルペンアルコールの具体例としては、セドロール、β−カリオフィレンアルコール、パチョリアルコール、グロブロール、セドレノール、ファルネソール、α−サンタロール、α−ビサボロール、ベチベロール、ネロリドール、等を挙げることができ、常温で固体である点から、セドロール、β−カリオフィレンアルコール、パチョリアルコール、グロブロールが好ましい。モノテルペンアルコールの具体例としては、αテルピネオール、ぺリラアルコール、リナロール、ゲラニオール等を挙げることができ、常温で固体である点から、αテルピネオールが好ましい。ジテルペンアルコールの具体例としては、ゲラニルリナロール、イソフィトール、スクラレオール等を挙げることができ、常温で固体である点から、スクラレオールが好ましい。前記テルペンアルコールのエステルとしては、前記テルペンアルコールと酢酸、酪酸等の脂肪酸とのエステルを挙げることができる。
中でも、副交感神経を優位にさせる効果に特に優れると共に、ストレスを緩和し、リラックス感を増すという点、及び微香性であり、嗜好に関わりなく効果がある点からセドロールが好ましい。なお、これらの香気成分は単独で又は２種以上の混合物として使用することができる。常温で液状のものを含んでいても、混合物とした場合に常温で固体状のものであれば、本発明で使用することができる。
【００１２】
香気成分としてセドロールを用いる場合には、純度９０％以上のものを用いることが好ましく、更に純度９５％以上のものを用いることが好ましく、特に純度９８％以上のものを用いることが好ましく、とりわけ純度９９％以上のものを用いることが好ましい。セドロールは、高純度のものほど微香性となり、その効果がより嗜好性に左右されなくなるからである。
【００１３】
香気成分の担持量は、高揮散、粉落ち抑制、肌感触の向上の点から、担持体材料の表面積（見掛けの表面積）に対して０．１〜３０ｇ／ｍ2であることが好ましく、さらに１．０〜１５ｇ／ｍ2であることが好ましい。
【００１４】
本発明に用いられる界面活性剤は、そのＨＬＢ値が８〜２０であることが必要である。ＨＬＢ値がこの範囲の界面活性剤を使用することにより、常温で固体の香気成分を担持させた場合に、粉落ちを効果的に抑制することができる。揮散性を一層高め、粉落ちを一層の抑制し、肌感触を一層向上させる点から、界面活性剤のＨＬＢ値は９〜１８であることが好ましく、１１〜１７であることが更に好ましい。ＨＬＢ値は、アメリカのＷ．Ｃ．グリフィンが提唱した計算式ＨＬＢ値＝ｗ／５（ｗ：界面活性剤分子中の親水性部分の重量％）により求められる。前記範囲のＨＬＢ値を有する限り界面活性剤の種類に特に制限はなく、陽イオン界面活性剤、陰イオン界面活性剤、非イオン界面活性剤及び両性界面活性剤の何れも用いることができる。効果的な粉落ち抑制の点からは、非イオン界面活性剤を用いることが好ましい。
【００１５】
界面活性剤として非イオン界面活性剤を用いる場合、その例としては、ポリオキシエチレンアルキルエーテル、ポリオキシエチレンポリオキシプロピレンアルキルエーテル、ポリオキシエチレンアルキルフェニルエーテル、ポリオキシエチレンポリオキシプロピレングリコール、ポリオキシエチレン脂肪酸エステル、ポリオキシエチレンソルビタン脂肪酸エステル、ポリオキシエチレンソルビトール脂肪酸エステル、ポリオキシエチレン硬化ヒマシ油、脂肪酸ポリエチレングリセリン、ポリエーテル変性シリコーン、グリセリン脂肪酸エステル、ポリグリセリン脂肪酸エステル、ソルビタン脂肪酸エステル、ショ糖脂肪酸エステル、アルキルグリセリルエーテル等が挙げられる。これらのうちＨＬＢ値を８〜２０とすることが容易である点から、ポリオキシエチレン鎖を有するものが好ましい。ポリオキシエチレン鎖を有する非イオン界面活性剤の中でも、ポリオキシエチレンアルキルエーテル、ポリオキシエチレンポリオキシプロピレンアルキルエーテル、ポリオキシエチレン脂肪酸エステル、ポリオキシエチレンソルビタン脂肪酸エステル、ポリオキシエチレン硬化ヒマシ油等は、粉落ちを一層抑制し、また香気成分の揮散量を全く低下させないという効果を有する点から特に好ましく用いられる。
【００１６】
界面活性剤の担持量は、高揮散、粉落ち抑制、肌感触の向上の点から、常温で固体の香気成分の重量に対して好ましくは１／１０００〜１／２の重量であり、更に好ましくは１／５００〜３／１０、一層好ましくは１／２００〜１／５である。
【００１７】
本発明に用いられる担持体材料としては、香気成分を効果的に担持する観点から多孔質材料を用いることが好ましい。多孔質材料としては、例えば多数の細孔を有する固体材料や、繊維材料からなる繊維シートを用いることができる。これらのうち、様々な形状に加工可能である点、及びシート状となして表面積を高くし、香気成分の高揮散を可能とする点から繊維シートを用いることが好ましい。繊維シートとしては、例えば各種不織布や織布、編布、紙等を用いることができる。特に不織布を用いることが好ましい。
【００１８】
担持体材料として繊維シートを用いる場合、使用する繊維材料はその繊維比表面積が０．９〜３．０ｍ2／ｇであることが好ましい。これにより、常温で固体の香気成分の揮散速度を早くできると共に、実使用上問題のない強度が維持できる。また、空隙を密にすることができ、粉落ちを抑制することが可能となる。繊維比表面積が１．３〜２．８ｍ2／ｇであると、常温での揮散速度が一層早くなり、粉落ちを一層防止できる点から好ましい。繊維比表面積は、カルロエルバ社製のＳｏｒｐｔｙ  １７５０型等の測定装置を用いてＢＥＴ１点法により求められる。
【００１９】
繊維シートとしては、例えば互いに相溶性のない２種類のポリマーを同じ紡糸ノズルから同時に溶融押出して不織布としたものに、高圧水流等の噴射などの外力を用い繊維を分割・分離して得られるものや、メルトブローン法によって得られる不織布等を用いることができる。また、これらの繊維シートは、粉落ち抑制、肌感触の向上等の点から、その坪量が２０〜２００ｇ／ｍ2であることが好ましく、２０〜１００ｇ／ｍ2であることが更に好ましく、４０〜１００ｇ／ｍ2であることが特に好ましい。
【００２０】
これらの繊維シートを製造するためのポリマーとしては、ポリエチレン（ＰＥ）やポリプロピレン（ＰＰ）等のポリオレフィン類、ポリエチレンテレフタレート（ＰＥＴ）やポリブチレンテレフタレート（ＰＢＴ）等のポリエステル類、ナイロン等のポリアミド類等を用いることが好ましい。
【００２１】
外力によって分割・分離可能な繊維における２種類のポリマーの組み合わせとしては、例えばＰＥＴとナイロン、ＰＥＴとＰＰ、ＰＰとＰＥ等を採用することが好ましい。中でも、ＰＥＴとＰＰの組み合わせからなる分割・分離型の繊維を用いた繊維シートを担持体として用いると、香気成分の常温における揮散速度に優れ、また粉落ちが少なくなることから特に好ましい。
【００２２】
また、外力によって分割・分離可能な繊維は、分割によって繊維の断面形状が単純な丸みを持ったものではなく、複雑な多角形形状となることに起因して、その繊維の比表面積が分割前に比較して大きくなっている。このため、当該繊維からなる繊維シートを常温で固体の香気成分の担持体として用いると、該香気成分の結晶の比表面積が大きくなり（つまり結晶サイズが小さくなり）、香気成分の揮散効率が更に向上することから好ましい。また、常温で固体の香気成分を強固に担持させてその粉落ちを更に効果的に抑制することも可能になる。
【００２３】
一方、メルトブローン法によって得られる不織布からなる繊維シートは、ＰＥＴ、ＰＰ、ＰＥ等を用いて形成されることが好ましい。
【００２４】
繊維シートからなる担持体材料は、その通気度が、２〜４０ｃｍ3／ｃｍ2・ｓｅｃ（ＪＩＳ  Ｌ  １０９６  フラジール形法）であることが好ましく、５〜４０ｃｍ3／ｃｍ2・ｓｅｃであることが更に好ましく、５〜２０ｃｍ3／ｃｍ2・ｓｅｃであることが特に好ましい。担持体材料の通気度を前記範囲内とすることにより、常温において優れた揮散速度が得られるようになると共に、粉落ちを一層抑制することが可能になる。なお、通気度２〜４０ｃｍ3／ｃｍ2・ｓｅｃの担持体材料に穴を設けたものに常温で固体の香気成分を担持させても良い。
【００２５】
担持体材料に常温で固体の香気成分を担持させる方法としては、例えば香気成分と界面活性剤とを溶媒に溶解して得られた溶液を、担持体材料に含浸させた後、乾燥処理する方法が挙げられる。この方法によれば香気成分を結晶状態で担持させることができる。前記溶液中の香気成分の濃度は、０．５〜１５重量％、特に１〜１０重量％とすることが、高揮散、粉落ち抑制、及び肌感触の向上の点から好ましい。同様の理由により、界面活性剤の濃度は０．０１〜５重量％、特に０．０５〜２重量％であることが好ましい。溶媒としては、エタノール等の低級アルコール類、酢酸エチル等のエステル類、アセトン等のケトン類等を用いることができ、担持させる香気成分及び界面活性剤の溶解性等により適宜選択することができる。また、前記溶液中には、常温で固体の香気成分以外の香料等を適宜添加してもよい。
【００２６】
上述のような構成を有する本発明の香気成分担持体は、用途及び場面に応じて様々な形態で用いることができる。例えば、入眠促進や十分な睡眠を得たい場合には、ビーズ状としたものを小袋等に入れて枕元に置いて使用することができる。また、シート状に成形して、枕カバー、ふとん用シーツ等の寝具や、マスク、アイマスク等の構成材料として好ましく用いることができる。
【００２７】
また、本発明の香気成分担持体を小袋に入れたものであれば、手軽に持ち運ぶことができるので、肉体的・精神的なストレスを受け、副交感神経と交感神経の働きのバランスが崩れて自律神経系に失調が生じた場合等に、何処にいても揮発した香気成分を吸入することにより、副交感神経を優位にして、ストレスを緩和し、リラックス感を増す等することができる。さらに、シート状としたものを寝具として構成し、枕カバー等とすることにより、日常的に入眠を促進し、十分な睡眠を確保等することもできる。
【００２８】
そして本発明によれば、上述の香気成分担持体を用い、上述の様々な使用形態から揮発した香気成分を吸入することによって、自律神経系に作用し、気分を落ち着かせたり、高揚させたり、睡眠を促したりする等の効果が可能になる。
【実施例】
【００２９】
以下、実施例及び比較例により、本発明の香気成分担持体をさらに詳細に説明する。
【００３０】
〔実施例１〜８、及び比較例１〜２〕
互いに相溶性のない２種類のポリマー（ＰＥＴとＰＰ）を同じノズルから同時に押し出してシート状としたものに、高圧水流等を噴射してＰＥＴ繊維とＰＰ繊維を分離・分割することによって得られる不織布シート材料（担持体材料）を形成した。この不織布シート材料の特性は、繊維比表面積：１．５ｍ2／ｇ、通気度：７ｃｍ3／ｃｍ2・ｓｅｃ、坪量：９０ｇ／ｍ2であった。エタノール中にセドロールを１０重量％となるように添加し、さらに実施例１〜８、及び比較例１〜２の界面活性剤をセドロール重量に対して１／１０、１／２０、１／１００の重量となるように各々添加して攪拌溶解させた溶液を調製し、これを前記不織布シート材料を１０ｃｍ×１０ｃｍのサイズに切断したものに、それぞれ２ｇならびに１ｇ含浸させた後、常温にて乾燥させて、セドロールの担持量が２０ｇ／ｍ2ならびに１０ｇ／ｍ2のセドロール担持シートを製造した。粉落ち防止性はセドロールの担持量が２０ｇ／ｍ2のシートを用いて評価し、揮散特性はセドロールの担持量が１０ｇ／ｍ2のシートを用いて評価した。結果を表１に示す。
【００３１】
〔比較例３〜４〕
エタノール中にセドロールを１０重量％となるように添加して攪拌溶解させた溶液を調製し、上述と同じ不織布シート材料を１０ｃｍ×１０ｃｍのサイズに切断したものに、それぞれ２ｇならびに１ｇ含浸させた後、常温にて乾燥させて、セドロールの担持量が２０ｇ／ｍ2ならびに１０ｇ／ｍ2のセドロール担持シートを製造した。粉落ち防止性は両シートを用いて評価し、揮散特性はセドロール担持量が１０ｇ／ｍ2のシートを用いて評価した。結果を表２に示す。
【００３２】
実施例１〜８及び比較例１〜４で得られた香気成分担持体についての香気成分の粉落ち防止性及び香気成分の揮散特性は、以下の方法で評価した。
【００３３】
〔香気成分の粉落ち防止性〕
実施例１〜８、比較例１、２及び４で得られたセドロール担持量が２０ｇ／ｍ2の担持体を、各々黒色の写真台紙に載せ、これらの担持体上に、荷重１ｋｇを加えた状態で直径１ｃｍの円柱を１０回、移動させて、写真台紙に転写したセドロール粉末の有無を目視によって観察した。表１及び表２に示した観察の結果において、◎は極微量のセドロール粉末の転写が観察された他は殆ど確認できない状態を示し、○は微量のセドロール粉末の脱落による転写が円柱を移動させた部分のほぼ全体に確認される状態を示し、○△は部分的に少量のセドロール粉末の脱落による転写が確認される状態を示し、△は部分的に多量のセドロール粉末の脱落による転写が確認される状態を示し、×は多量のセドロール粉末の脱落による転写がほぼ全体に確認される状態を示す。
【００３４】
〔香気成分の揮散特性〕
実施例１〜８、比較例１、２及び３で得られたセドロール担持量が１０ｇ／ｍ2の担持体を、２５℃／５０％ＲＨの環境下にて、大気中に吊るした状態にて経時的に重量変化を測定した。担持体製造後１日後から３日後までの重量減少量により揮散特性を評価し、表１及び表２の評価結果では、比較例３の揮散特性を１．０として各々の割合で示した。
【００３５】
【表１】
2005146149.tif 000002
【００３６】
【表２】
2005146149.tif 000003
【００３７】
表１及び表２に示した評価結果から、実施例１〜８については粉落ち防止性に優れていることが判る。また、特に実施例１〜６については、活性剤の添加量を増加させても、香気成分の揮散特性を全く低下させることもないことが判る。